【手続補正書】
【提出日】平成24年11月21日(2012.11.21)
【手続補正１】
【補正対象書類名】明細書
【補正対象項目名】００６８
【補正方法】変更
【補正の内容】
【００６８】
【表１】
2012510168.tif 000001
次に、本発明の好ましい態様を示す。
１  太陽電池層と、エチレンコポリマー組成物の少なくとも１層を含むシートとを含む太陽電池モジュールであって、（Ａ）前記太陽電池層が、単一の太陽電池セルまたは複数個の電気的に相互接続された太陽電池セルを含み、（Ｂ）前記エチレンコポリマー組成物が、エチレンと、前記エチレンコポリマーの総重量を基準にして約５から約２０重量％の、２個のカルボン酸基を有するＣ4〜Ｃ8不飽和酸のエステルとの共重合単位を含むエチレンコポリマーを含む、太陽電池モジュール。
２  前記エチレンコポリマーが、２個のカルボン酸基を有する前記Ｃ4〜Ｃ8不飽和酸の前記エステルの共重合単位を、前記エチレンコポリマーの総重量を基準にして約６から約１５重量％含む、上記１に記載の太陽電池モジュール。
３  ２個のカルボン酸基を有する前記Ｃ4〜Ｃ8不飽和酸の前記エステルが、２個のカルボン酸基を有するＣ4〜Ｃ8不飽和酸のモノエステル、２個のカルボン酸基を有するＣ4〜Ｃ8不飽和酸のジエステル、およびこれらの任意の２種類以上の混合物からなる群から選択される、上記１に記載の太陽電池モジュール。
４  前記エチレンコポリマーが、少なくとも２個のカルボン酸基を有するＣ4〜Ｃ8不飽和酸のモノエステルの共重合単位を約６から約１５重量％含む、上記１に記載の太陽電池モジュール。
５  前記モノエステルがマレイン酸水素エチルである、上記４に記載の太陽電池モジュール。
６  前記エチレンコポリマー組成物を含む前記シートが、前記エチレンコポリマー組成物から実質上なる単一層の形態である、上記１に記載の太陽電池モジュール。
７  前記エチレンコポリマー組成物を含む前記シートが、多層シートの形態であり、２枚以上の副層を有し、かつ前記副層の少なくとも１枚が前記エチレン組成物から実質上なり、前記多層シート中に存在するその他の副層のそれぞれが、酸性コポリマー、酸性コポリマーのアイオノマー、エチレン／酢酸ビニルコポリマー、ポリ（ビニルアセタール）、ポリウレタン、ポリ塩化ビニル、ポリエチレン、ポリオレフィンブロックコポリマーエラストマー、α−オレフィンとα，β−エチレン性不飽和カルボン酸のコポリマー、シリコーンエラストマー、エポキシ樹脂、およびこれらの２種類以上の組合せからなる群から選択される少なくとも１種類のポリマーを含む、上記１に記載の太陽電池モジュール。
８  前記エチレンコポリマー組成物を含む前記シートが、２枚の副層を有する二層シートの形態であり、前記２枚の副層の１枚が、前記エチレン組成物から実質上なり、約０．５から約１５ミル（約１３から約３８１μｍ）の厚さを有する、上記７に記載の太陽電池モジュール。
９  前記エチレンコポリマー組成物を含む前記シートが、２枚の表面副層の間に挟まれた内部副層を有する三層シートの形態であり、かつ前記２枚の表面副層の一方または両方がそれぞれ前記エチレンコポリマー組成物から本質上なり、０．５から約１５ミル（約１３から約３８１μｍ）の厚さを有する、上記７に記載の太陽電池モジュール。
１０  前記エチレンコポリマー組成物を含む前記シートが、前記太陽電池層に直接貼り付けられる、上記１に記載の太陽電池モジュール。
１１  前記太陽電池層が、前面の太陽に面する側および裏面の太陽に面しない側を有する、上記１に記載の太陽電池モジュール。
１２  前記太陽電池層の前記太陽に面する側に貼り合わせた前面封止層と、前記太陽電池層の前記太陽に面しない側に貼り合わせた裏面封止層とを含み、前記前面および裏面封止層の一方が、前記ブレンド組成物を含む前記シートであり、かつ前記前面および裏面封止層の他方が、α−オレフィンとα，β−エチレン性不飽和カルボン酸のコポリマー、α−オレフィンとα，β−エチレン性不飽和カルボン酸のコポリマーのアイオノマー、エチレン／酢酸ビニルコポリマー、ポリ（ビニルアセタール）、ポリウレタン、ポリ塩化ビニル、ポリエチレン、ポリオレフィンブロックコポリマーエラストマー、α−オレフィンとα，β−エチレン性不飽和カルボン酸のコポリマー、シリコーンエラストマー、エポキシ樹脂、およびこれらの組合せからなる群から選択される高分子材料を含む、上記１１に記載の太陽電池モジュール。
１３  前記ブレンド組成物を含む２枚のシートを含み、前記２枚のシートの一方が、前記前面封止層であり、前記２枚のシートの他方が前記裏面封止層である、上記１２に記載の太陽電池モジュール。
１４  入射層をさらに含み、前記入射層が前記モジュールの最外面層であり、前記太陽電池層の前記前面の太陽に面する側に配置され、かつ前記入射層が、（ｉ）ガラス板と、（ｉｉ）ポリカーボナート、アクリル樹脂、ポリアクリラート、環式ポリオレフィン、ポリスチレン、ポリアミド、ポリエステル、フルオロポリマー、およびこれらの２種類以上の組合せからなる群から選択されるポリマーを含む高分子シートと、（ｉｉｉ）ポリエステル、ポリカーボナート、ポリオレフィン、ノルボルネンポリマー、ポリスチレン、スチレン−アクリラートコポリマー、アクリロニトリル−スチレンコポリマー、ポリスルホン、ナイロン、ポリウレタン、アクリル樹脂、酢酸セルロース、セロファン、ポリ（塩化ビニル）、フルオロポリマー、およびこれらの２種類以上の組合せからなる群から選択されるポリマーを含む高分子フィルムとからなる群から選択される、上記１１に記載の太陽電池モジュール。
１５  裏打層をさらに含み、前記裏打層が前記モジュールの最外面層であり、前記太陽電池層の前記裏面の太陽に面しない側に配置され、かつ前記裏打層が、（ｉ）ガラス板と、（ｉｉ）高分子シートと、（ｉｉｉ）高分子フィルムと、（ｉｖ）金属板と、（ｖ）セラミック板とからなる群から選択され、かつ前記高分子シートが、ポリカーボナート、アクリル樹脂、ポリアクリラート、環式ポリオレフィン、ポリスチレン、ポリアミド、ポリエステル、フルオロポリマー、およびこれらの２種類以上の組合せからなる群から選択されるポリマーを含み、前記高分子フィルムが、ポリエステル、ポリカーボナート、ポリオレフィン、ノルボルネンポリマー、ポリスチレン、スチレン−アクリラートコポリマー、アクリロニトリル−スチレンコポリマー、ポリスルホン、ナイロン、ポリウレタン、アクリル樹脂、酢酸セルロース、セロファン、ポリ（塩化ビニル）、フルオロポリマー、およびこれらの２種類以上の組合せからなる群から選択されるポリマーを含む、上記１１に記載の太陽電池モジュール。
１６  前記太陽電池セルが、結晶シリコン（ｃ−Ｓｉ）および多結晶シリコン（ｍｃ−Ｓｉ）系太陽電池セルからなる群から選択されるウェーハ系太陽電池セルであり、前記モジュールが、位置順に、（ｉ）入射層、（ｉｉ）前記太陽電池層の前記前面の太陽に面する側に貼り合わせた前面封止層、（ｉｉｉ）前記太陽電池層、（ｉｖ）前記太陽電池層の前記裏面の太陽に面しない側に貼り合わせた裏面封止層、および（ｖ）裏打層から実質上なり、かつ前記前面および裏面封止層の一方または両方が前記エチレンコポリマー組成物を含む、上記１１に記載の太陽電池モジュール。
１７  前記太陽電池セルが、アモルファスシリコン（ａ−Ｓｉ）、微結晶シリコン（μｃ−Ｓｉ）、テルル化カドミウム（ＣｄＴｅ）、セレン化銅インジウム（ＣＩＳ）、二セレン化銅インジウム／ガリウム（ＣＩＧＳ）、光吸収染料、および有機半導体系太陽電池セルからなる群から選択される薄層太陽電池セルであり、かつ前記太陽電池モジュールが、位置順に、（ｉ）入射層、（ｉｉ）前記エチレンコポリマー組成物を含む前記シートを含む前面封止層、および（ｉｉｉ）前記太陽電池層から実質上なり、前記太陽電池層は、前記薄膜太陽電池セルが堆積される基板をさらに含み、前記基板は、前記基板が前記モジュールの最外面であり、前記太陽電池層の前記裏面の太陽に面しない側に配置されるように位置決めされる、上記１１に記載の太陽電池モジュール。
１８  前記太陽電池セルが、アモルファスシリコン（ａ−Ｓｉ）、微結晶シリコン（μｃ−Ｓｉ）、テルル化カドミウム（ＣｄＴｅ）、セレン化銅インジウム（ＣＩＳ）、二セレン化銅インジウム／ガリウム（ＣＩＧＳ）、光吸収染料、および有機半導体系太陽電池セルからなる群から選択される薄層太陽電池セルであり、かつ前記太陽電池モジュールが、位置順に、（ｉ）前記太陽電池層、（ｉｉ）前記エチレンコポリマー組成物を含む前記シートを含む裏面封止層、および（ｉｉｉ）裏打層から実質上なり、前記太陽電池層は、前記薄膜太陽電池セルが堆積されるスーパーストレートをさらに含み、前記スーパーストレートは、前記スーパーストレートが前記太陽電池層の前記前面の太陽に面する側で前記モジュールの最外面であるように位置決めされる、上記１１に記載の太陽電池モジュール。
１９  （ｉ）上記１に記載の構成層のすべてを含むアセンブリを準備するステップ、および（ｉｉ）前記アセンブリを貼り合わせて太陽電池モジュールを形成するステップを含む、太陽電池モジュールの調製方法。
２０  前記貼合せのステップが、前記アセンブリに熱を加えることによって行われ、かつ真空または圧力をかけてもよい、上記１９に記載の方法。
【手続補正２】
【補正対象書類名】特許請求の範囲
【補正対象項目名】全文
【補正方法】変更
【補正の内容】
【特許請求の範囲】
【請求項１】
太陽電池層と、エチレンコポリマー組成物の少なくとも１層を含むシートとを含む太陽電池モジュールであって、（Ａ）前記太陽電池層が、単一の太陽電池セルまたは複数個の電気的に相互接続された太陽電池セルを含み、（Ｂ）前記エチレンコポリマー組成物が、エチレンと、前記エチレンコポリマーの総重量を基準にして約５から約２０重量％の、２個のカルボン酸基を有するＣ4〜Ｃ8不飽和酸のエステルとの共重合単位を含むエチレンコポリマーを含む、太陽電池モジュール。
【請求項２】
前記エチレンコポリマーが、２個のカルボン酸基を有する前記Ｃ4〜Ｃ8不飽和酸の前記エステルの共重合単位を、前記エチレンコポリマーの総重量を基準にして約６から約１５重量％含む、請求項１に記載の太陽電池モジュール。
【請求項３】
（ｉ）請求項１に記載の構成層のすべてを含むアセンブリを準備するステップ、および（ｉｉ）前記アセンブリを貼り合わせて太陽電池モジュールを形成するステップを含む、太陽電池モジュールの調製方法。